(57)【要約】【課題】  使用済みメダルをメダル洗浄機へ戻すための戻しコンベヤが停止しても、戻しコンベヤで接続されている島の各遊技機へメダルの供給を続行できるようにし、しかも小型化によって枝線の取り付けも可能にする。【解決手段】  メダル洗浄機３から送り込まれた洗浄済みメダルｍａを島単位のメダル供給回収機４の供給ホッパー４ｂに一時貯留した後に遊技機１及びメダル貸し機２へ供給し、遊技機１からメダル供給回収機４に回収した使用済みメダルｍｂを回収リフター４ｅで持ち上げて戻しコンベヤ７でメダル洗浄機３へ送り戻し、戻された使用済みメダルｍｂをメダル洗浄機３で洗浄して再使用できるようにし、さらに回収リフター４ｅの復路の途中位置に、吐出されずに下降する使用済みメダルｍｂを外部へ排出してメダル供給回収機４の供給ホッパー４ｂへ戻す排出路９を設ける。【選択図】  図２
2014045791.tif 000002
【特許請求の範囲】
【請求項１】
メダル洗浄機から送り込まれた洗浄済みメダルを島単位の供給ホッパーに一時貯留した後に島の遊技機又はメダル貸し機へ供給し、遊技機から回収した使用済みメダルを島単位の回収リフターで持ち上げて戻しコンベヤでメダル洗浄機へ送り戻し、戻された使用済みメダルをメダル洗浄機で洗浄して再使用できるようにしたメダル遊技設備において、前記島単位の回収リフターの復路の途中位置と島単位の供給ホッパーを排出路で接続したことを特徴とする、メダル遊技設備。
【請求項２】
メダル洗浄機に洗浄済みメダルの供給ホッパーと使用済みメダルの回収ホッパーを設け、そのメダル洗浄機に複数の遊技機とメダル貸し機を列設してメダルの供給及び回収ができる島を構成し、そのメダル洗浄機の島の遊技機から回収した使用済みメダルを回収ホッパーへ直接戻すようにした、請求項１記載のメダル遊技設備。
【発明の詳細な説明】
【技術分野】
【０００１】
本発明は、スロットマシン等のメダル遊技設備に関する。
【背景技術】
【０００２】
従来のメダル遊技設備は、メダル洗浄機から送り込まれた洗浄済みメダルを島単位のメダル供給回収機の供給ホッパーに一時貯留した後に各遊技機やメダル貸し機へ供給し、各遊技機から回収コンベヤでメダル供給回収機に回収した使用済みメダルを島単位の回収リフターで持ち上げて戻しコンベヤでメダル洗浄機へ送り戻し、戻された使用済みメダルをメダル洗浄機で洗浄し、これを循環させることで、遊技者が常に清潔なメダルを使用して遊技できるようにしている。
【０００３】
ところで、前記技術では故障やメダルの詰まり等のトラブルで戻しコンベヤが停止すると、メダル洗浄機に戻された使用済みメダルが無くなって洗浄済みメダルをメダル供給回収機に送ることができなくなり、その後、リフターで持ち上げたメダルが戻しコンベヤ上に積み上がることで回収リフターと回収コンベヤもメダルが詰まって連鎖的に停止してしまう。したがって、戻しコンベヤで接続されている島の多数の遊技機が遊技に支障をきたす状態となって遊技者に多大な迷惑を及ぼすとともに、回復作業も手間を要し、あるいは回復作業中に店員がメダルを手作業で供給する必要があった。
【０００４】
この問題を解決する技術が特許文献１に開示されている。この技術は、図７に示すように、回収リフター１０のメダル吐出位置に戻しコンベヤ１１から溢れた使用済みメダルを取り込む広幅のシュート１２を設け、そのシュート１２とメダル供給回収機１３の供給ホッパー（図示は省略）とを接続するメダル路１４を設けたことを特徴としている。図中、１５は洗浄済みメダルを搬送する送りコンベヤである。
【０００５】
この技術によれば、戻しコンベヤ１１の停止で使用済みメダルが積み上がって溢れても、シュート１２に取り込まれてメダル路１４を通じてメダル供給回収機１３の供給ホッパーへ戻され、その供給ホッパーに溜まった使用済みメダルが島の遊技機やメダル貸し機へ送り出される。よって、メダル洗浄機から洗浄済みメダルが搬送されなくなっても、遊技機やメダル貸し機へメダルの供給を続行できるようになる、というものである。
【０００６】
しかしながら、前記特許文献１の技術では、広幅のシュート１２によって装置全体が大型化するから、メダル供給回収機の上方空間に制限がある場合は設備できなかった。特に、他の島のメダル供給回収機へメダルの供給及び回収する枝線を分岐する場合は、大型化によって不可能だった。
【先行技術文献】
【特許文献】
【０００７】
【特許文献１】特許第４７００６５０号公報
【発明の概要】
【発明が解決しようとする課題】
【０００８】
本発明が解決しようとする課題は、従来のこれらの問題点を解消し、使用済みメダルをメダル洗浄機へ戻すための戻しコンベヤが停止しても、戻しコンベヤで接続されている島の遊技機やメダル貸し機へメダルの供給を続行できるようにし、しかも小型化によって枝線の取り付けも可能にすることにある。
【課題を解決するための手段】
【０００９】
かかる課題を解決した本発明の構成は、
１）  メダル洗浄機から送り込まれた洗浄済みメダルを島単位の供給ホッパーに一時貯留した後に島の遊技機又はメダル貸し機へ供給し、遊技機から回収した使用済みメダルを島単位の回収リフターで持ち上げて戻しコンベヤでメダル洗浄機へ送り戻し、戻された使用済みメダルをメダル洗浄機で洗浄して再使用できるようにしたメダル遊技設備において、前記島単位の回収リフターの復路の途中位置と島単位の供給ホッパーを排出路で接続したことを特徴とする、メダル遊技設備
２）  メダル洗浄機に洗浄済みメダルの供給ホッパーと使用済みメダルの回収ホッパーを設け、そのメダル洗浄機に複数の遊技機とメダル貸し機を列設してメダルの供給及び回収ができる島を構成し、そのメダル洗浄機の島の遊技機から回収した使用済みメダルを回収ホッパーへ直接戻すようにした、前記１）記載のメダル遊技設備
にある。
【発明の効果】
【００１０】
本発明によれば、何らかのトラブルで戻しコンベヤが停止すると、回収リフターから吐出する使用済みメダルが戻しコンベヤ上に積み上がり、吐出できなくなった使用済みメダルが回収リフター内を戻るように下降する。その下降中の使用済みメダルは途中で外部に排出されて排出路を通じてメダル供給回収機の供給ホッパーへ送り込まれ、その供給ホッパーに溜まった使用済みメダルが島の遊技機やメダル貸し機へ送り出される。
【００１１】
よって、メダル洗浄機から洗浄済みメダルが搬送されなくなっても、回収した使用済みメダルがそのままメダル供給回収機の供給ホッパーへ戻り、遊技機やメダル貸し機へメダルの供給を続行できるようになる。また、従来技術のように広幅のシュートを設ける必要がないから、メダル供給回収機の上部が小型化されて上方空間に余裕ができ、他の島のメダル供給回収機へメダルの供給及び回収する枝線を分岐できるようになる。
【図面の簡単な説明】
【００１２】
【図１】実施例のメダル遊技設備の平面図である。
【図２】実施例のメダル洗浄機とメダル供給回収機の説明図である。
【図３】実施例のメダル供給回収機の一部切欠き斜視図である。
【図４】実施例の回収リフターの断面図である。
【図５】実施例のメダルの排出を示す説明図である。
【図６】実施例の他の例のメダル供給回収機の一部切欠き斜視図である。
【図７】従来のメダル供給回収機の一部切欠き斜視図である。
【発明を実施するための形態】
【００１３】
本発明のメダル洗浄機は、洗浄機能に特化したものや、メダル供給回収機に洗浄機能を組み合わせた構造のものを島に配設するものがある。その島に配設されるメダル洗浄機は、その島の遊技機から回収した使用済みメダルを回収ホッパーへ直接戻すようにすると、戻しコンベヤのトラブルに係わらずに使用済みメダルを回収でき、回収リフターへの排出路の設置を省略できる。以下、本発明の実施例を図面に基づいて具体的に説明する。
【実施例】
【００１４】
本実施例のメダル遊技設備は、図１に示すように、メダル洗浄機３とメダル供給回収機４に複数の遊技機１とメダル貸し機２をそれぞれ列設して島を構成し、その島に使用済みメダルｍｂを回収する回収コンベヤ５と洗浄済みメダルｍａを供給する供給コンベヤ６をそれぞれ配設し、メダル洗浄機３とメダル供給回収機４の間に使用済みメダルｍｂを戻す戻しコンベヤ７と洗浄済みメダルｍａを送り出す送りコンベヤ８を配設している。
【００１５】
メダル洗浄機３は、図２に示すように、払出器３ｃ付きの回収ホッパー３ｂを内部に設け、その回収ホッパー３ｂと戻しコンベヤ７を取込路３ａで接続し、払出器３ｃの直下に洗浄研磨装置３ｄを設け、その洗浄研磨装置３ｄと送りコンベヤ８の間に供給リフター３ｅを配設し、回収ホッパー３ｂと回収コンベヤ５の間に回収リフター３ｆを配設し、洗浄済みメダルｍａを取り込む取込装置８ａと供給コンベヤ６の間に払出器３ｈ付きの供給ホッパー３ｇを設けている。
【００１６】
メダル供給回収機４は、図２，３に示すように、払出器４ｃ付きの供給ホッパー４ｂを内部に設け、その供給ホッパー４ｂと取込装置８ａを取込路４ａで接続し、払出器４ｃと供給コンベヤ６の間に供給リフター４ｄを配設し、回収コンベヤ５と戻しコンベヤ７の間に回収リフター４ｅを配設している。
【００１７】
回収リフター４ｅは、図４に示すように、上下に掛け渡した無端ベルト４１ｅに複数の傾斜板４２ｅを一定間隔で取り付けて縦長の本体カバー４３ｅで全体を覆い、その本体カバー４３ｅの復路側の側壁の途中位置に開口部４４ｅを形成し、その開口部４４ｅとメダル供給回収機４の供給ホッパー４ｂを排出路９で接続している。
【００１８】
本実施例では、メダル洗浄機３から送りコンベヤ８で送り込まれた洗浄済みメダルｍａは、メダル洗浄機３の供給ホッパー３ｇ及びメダル供給回収機４の供給ホッパー４ｂに一時貯留した後、遊技機１及びメダル貸し機２へ供給され、遊技機１から排出された使用済みメダルｍｂが回収コンベヤ５でメダル洗浄機３及びメダル供給回収機４に回収される。
【００１９】
メダル供給回収機４に回収された使用済みメダルｍｂは回収リフター４ｅで持ち上げられ、戻しコンベヤ７でメダル洗浄機３の回収ホッパー３ｂへ送り戻される。メダル洗浄機３の島の遊技機１から回収した使用済みメダルｍｂは回収リフター３ｆで回収ホッパー３ｂへ直接戻される。回収ホッパー３ｂに戻された使用済みメダルｍｂは洗浄研磨装置３ｄで洗浄され、これらが循環することで、遊技者が常に清潔な洗浄済みメダルｍａを使用して遊技できる。
【００２０】
故障やメダル詰まり等のトラブルで戻しコンベヤ７が停止すると、図５に示すように、回収リフター４ｅから吐出する使用済みメダルｍｂが戻しコンベヤ７上に積み上がり、これ以上吐出できなくなる。吐出できなくなった使用済みメダルｍｂは回収リフター４ｅ内を戻るように下降し、その下降途中に本体カバー４３ｅの開口部４４ｅから傾斜板４２ｅの傾きによって自重で外部へ滑り出され、排出路９を通じてメダル供給回収機４の供給ホッパー４ｂへ送り込まれる。
【００２１】
メダル洗浄機３では、戻しコンベヤ７の状態に係わらず、洗浄された洗浄済みメダルｍａが送り出され続けるが、戻しコンベヤ７の停止で使用済みメダルｍｂが回収されないから、回収ホッパー３ｂ内の使用済みメダルｍｂが不足し、洗浄済みメダルｍａはメダル洗浄機３の島のみへ供給されてメダル供給回収機４には送り込むことができなくなる。
【００２２】
しかし、前記のように、メダル供給回収機４に回収した使用済みメダルｍｂは、戻しコンベヤ７で戻せない場合に自身の供給ホッパー４ｂへ送り込まれる構造となっているから、戻しコンベヤ７に接続されている全ての島の遊技機１及びメダル貸し機２へのメダル供給を続行できる。したがって、戻しコンベヤ７が回復するまで遊技機１及びメダル貸し機２を停止させることがなく、戻された使用済みメダルｍｂが汚れていたとしても、遊技者にとってはトラブルを意識することなく遊技を継続でき、迷惑をかけることがない。
【００２３】
図６に示すのは、枝線を分岐した実施例のメダル供給回収機４の他の例である。この例では、メダル供給回収機４の上部で戻しコンベヤ７と送りコンベヤ８を直交方向に分岐している。このように、枝線を設けても、図７に示す従来技術のメダル供給回収機１３と同等の大きさに納まっており、上方空間に制限のある場合でも枝線を分岐できるようになっている。その他、符号、構成、作用効果は実施例と同じである。
【産業上の利用可能性】
【００２４】
本発明は、メダルを遊技媒体に用いる遊技設備に利用できる。
【符号の説明】
【００２５】
１      遊技機
２      メダル貸し機
３      メダル洗浄機
３ａ    取込路
３ｂ    回収ホッパー
３ｃ    払出器
３ｄ    洗浄研磨装置
３ｅ    供給リフター
３ｆ    回収リフター
３ｇ    供給ホッパー
３ｈ    払出器
４      メダル供給回収機
４ａ    取込路
４ｂ    供給ホッパー
４ｃ    払出器
４ｄ    供給リフター
４ｅ    回収リフター
４１ｅ  無端ベルト
４２ｅ  傾斜板
４３ｅ  本体カバー
４４ｅ  開口部
５      回収コンベヤ
６      供給コンベヤ
７      戻しコンベヤ
８      送りコンベヤ
８ａ    取込装置
９      排出路
１０    回収リフター
１１    戻しコンベヤ
１２    シュート
１３    メダル供給回収機
１４    メダル路
１５    送りコンベヤ
ｍａ    洗浄済みメダル
ｍｂ    使用済みメダル
【図１】
2014045791.tif 000003
【図２】
2014045791.tif 000004
【図３】
2014045791.tif 000005
【図４】
2014045791.tif 000006
【図５】
2014045791.tif 000007
【図６】
2014045791.tif 000008
【図７】
2014045791.tif 000009